(57)【要約】【課題】自動分析装置上での散乱光測定における気泡・ゴミの影響を低減する。【解決手段】光源より短波長側の第１波長１８ａ、長波長側の第２波長１８ｂを照射し、透過光１９ａ，１９ｂ及び散乱光２１ａ，２１ｂを受光する。第１波長、第２波長の透過光強度比ならびに第２波長の散乱光の変化光量よりノイズを推定し、第１波長の散乱光の変化光量から減算することにより気泡・ゴミによるノイズを低減する。【選択図】図３
2014202523.tif 000002
【特許請求の範囲】
【請求項１】
サンプルと試薬を混合した反応液が入ったセルと、
前記セルに第１波長の光と前記第１波長よりも長波長の第２波長の光を同一光路にて照射する光源部と、
前記セル内の反応液と相互作用した前記第１波長の散乱光と前記第２波長の散乱光を受光する光受光部と、
データ処理部とを有し、
前記データ処理部は、前記反応液中の凝集反応によって変化した前記第１波長の散乱光の変化光量を表す信号から、前記第２波長の散乱光の変化光量に前記試薬に依存する試薬係数を乗算した信号を減算した信号を求め、当該信号をもとに前記サンプル中の成分量を定量することを特徴とする分析装置。
【請求項２】
請求項１記載の分析装置において、前記試薬は直径５０ｎｍ〜５００ｎｍの粒子を含み、前記第１波長として０．６５μｍ〜０．７５μｍの範囲の光を用いることを特徴とする分析装置。
【請求項３】
請求項１記載の分析装置において、前記セルに照射される前記第１波長の光と前記第２波長の光の強度比が所定の誤差範囲内に調整されていることを特徴とする分析装置。
【請求項４】
請求項１記載の分析装置において、前記試薬係数として前記セルを透過した前記第１の波長の光と前記第２の波長の光の強度比を用いることを特徴とする分析装置。
【請求項５】
請求項１記載の分析装置において、前記試薬係数を試薬ごとに記憶する記憶部を有し、前記データ処理部は前記記憶部に記憶された試薬係数を読み出して用いることを特徴とする分析装置。
【請求項６】
請求項１記載の分析装置において、前記セル内に純水が含まれる場合の透過光強度を用いて前記第１波長の光と前記第２波長の光の強度を正規化することを特徴とする分析装置。
【請求項７】
請求項１記載の分析装置において、前記反応開始後の反応液からの透過光強度を用いて前記試薬係数を決定することを特徴とする分析装置。
【請求項８】
サンプルの入ったサンプルカップが複数配置され回転駆動されるサンプルディスクと、
試薬の入った試薬ボトルが複数配置され回転駆動される試薬ディスクと、
反応液を収容するセルが複数配置され回転駆動されるセルディスクと、
前記サンプルディスクのサンプルカップから前記セルディスクのセルにサンプルを分注するサンプル分注機構と、
前記試薬ディスクの試薬ボトルから前記セルディスクのセルに試薬を分注する試薬分注機構と、
回転駆動されている前記セルディスクのサンプルと試薬を混合した反応液が入ったセルに対して光学的な測定を行う測定部と、
前記測定部で測定されたデータを処理するデータ処理部とを有し、
前記測定部は、第１波長の光と前記第１波長よりも長波長の第２波長の光を同一光路にて前記セルに照射する光源部と、前記セル内の反応液と相互作用した前記第１波長の散乱光と前記第２波長の散乱光を受光する光受光部を備え、
前記データ処理部は、前記反応液中の凝集反応によって変化した前記第１波長の散乱光の変化光量を表す信号から、前記第２波長の散乱光の変化光量に前記試薬に依存する試薬係数を乗算した信号を減算した信号を求め、当該信号をもとに前記サンプル中の成分量を定量することを特徴とする自動分析装置。
【請求項９】
請求項８記載の自動分析装置において、前記試薬は直径５０ｎｍ〜５００ｎｍの粒子を含み、前記第１波長として０．６５μｍ〜０．７５μｍの範囲の光を用いることを特徴とする自動分析装置。
【請求項１０】
請求項８記載の自動分析装置において、前記セルに照射される前記第１波長の光と前記第２波長の光の強度比が所定の誤差範囲内に調整されていることを特徴とする自動分析装置。
【請求項１１】
請求項８記載の自動分析装置において、前記試薬係数として前記セルを透過した前記第１の波長の光と前記第２の波長の光の強度比を用いることを特徴とする自動分析装置。
【請求項１２】
請求項８記載の自動分析装置において、前記試薬係数を試薬ごとに記憶する記憶部を有し、前記データ処理部は前記記憶部に記憶された試薬係数を読み出して用いることを特徴とする自動分析装置。
【請求項１３】
請求項８記載の自動分析装置において、前記セル内に純水が含まれる場合の透過光強度を用いて前記第１波長の光と前記第２波長の光の強度を正規化することを特徴とする自動分析装置。
【請求項１４】
請求項８記載の自動分析装置において、前記反応開始後の反応液からの透過光強度を用いて前記試薬係数を決定することを特徴とする自動分析装置。
【発明の詳細な説明】
【技術分野】
【０００１】
本発明は、抗原抗体反応を用いた微粒子凝集反応を散乱光測定する方法及び装置に関し、特に自動分析装置上の散乱光測定法に関する。
【背景技術】
【０００２】
光源からの光を、サンプルと試薬とが混合した反応液に照射し、特定波長の透過光量の変化から吸光度を算出し、ランベルト・ベールの法則に従いサンプル中の被測定物質の濃度を定量する自動分析装置が広く用いられている。これらの装置においては、回転と停止を繰り返すセルディスクの円周上に反応液を保持する多数のセルを並べ、セルディスク回転中に所定位置の透過光測定部により１５秒程度の間隔で約１０分間、セル内の反応液を透過した光量の時間系列データを反応過程データとして測定し、光量の変化から吸光度を算出し、被測定物質の濃度を定量する。
【０００３】
自動分析装置で測定される反応には主に基質と酵素との呈色反応と、抗原と抗体との免疫反応の２種類がある。前者の反応を用いた分析は生化学分析と呼ばれ、検査項目としてＬＤＨ（乳酸脱水素酵素）、ＡＬＰ（アルカリホスファターゼ）、ＡＳＴ（アスパラギン酸オキソグルタル酸アミノトンラフェナーゼ）などがある。後者の反応を用いた分析は免疫分析と呼ばれ、検査項目としてＣＲＰ（Ｃ反応性蛋白）、ＩｇＧ（免疫グロブリン）、ＲＦ（リウマトイド因子）などがある。後者で測定される被測定物質の中には、血中濃度が低い低濃度領域において定量が要求される検査項目が存在し、そのような項目では、表面に抗体を感作（結合）させたラテックス粒子を増感剤として用いたラテックス免疫分析が用いられる。ラテックス免疫分析では、サンプルに含まれる被測定物質である抗原を、試薬に含まれるラテックス粒子表面の抗体が認識し結合した結果、ラテックス粒子が抗原を介して凝集し、ラテックス粒子の凝集体が形成される。従来の自動分析装置では、この凝集体の分散した反応液に光を照射し、ラテックス粒子の凝集体に散乱されずに透過した透過光量を測定する。抗原の濃度が高いほど一定時間後の凝集体の大きさは大きくなり、より多くの光が散乱されるため透過光量が減少する。そのため、反応過程データとして測定した光量から抗原の濃度を定量できる。
【０００４】
近年ラテックス免疫分析のさらなる高感度化が望まれており、透過光を測定するのではなく、散乱光を測定することが試みられてきた。例えば、特許文献１にはダイアフラムを用いて透過光と散乱光を分離し、透過光と散乱光を同時に測定するシステムが開示されている。特許文献２には、自動分析装置において２波長の検出光強度の差を自動算出し分析結果を算出するシステムが開示されている。また、自動分析装置以外において、特許文献３には、透過光と散乱光を含む検出信号を波長６７０ｎｍと９４０ｎｍで差をとり血中の外因性巨大分子を計測するシステムが開示されている。
【先行技術文献】
【特許文献】
【０００５】
【特許文献１】特開２００１−１４１６５４号公報
【特許文献２】特開平０３−０６５６５４号公報
【特許文献３】特開平０６−０３８９４７号公報
【発明の概要】
【発明が解決しようとする課題】
【０００６】
散乱光を用いた自動分析装置において、複数波長の反応過程データから演算を行い、高感度化を図った方法はこれまでになかった。特許文献１には、透過光測定と同時に散乱光測定を行うことより高感度にする構成が示されているが、自動分析装置に適した構成として考慮されたものではない。特許文献２では、複数波長のデータを演算することで吸光度においてはノイズの低減が図れるものの、散乱光のデータの演算方法については開示されていない。特許文献３は、計測の対象としているものが外因性巨大分子であり、ラテックス免疫分析における反応過程データを取得できる方法ではない。
【０００７】
ラテックス免疫分析を高感度化するために散乱光を測定した場合、気泡やゴミなどの外乱物質によるノイズを低減することが必要となる。特に、反応過程データを用いて測定を行うため、気泡やゴミが反応過程中に成長もしくは増加するなどの原因によって信号が変動することが問題となる。
【０００８】
また、ラテックス免疫分析の試薬に含まれるラテックス粒子は試薬の種類によって反応液中の密度に幅があり、気泡やゴミなどの外乱物質によるノイズの影響も試薬によって異なる。そこで、同一の光学系を用いて、試薬の種類に影響を受けにくいノイズキャンセルの方法が望まれている。
【課題を解決するための手段】
【０００９】
本発明では、第１波長の光と第１波長よりも長波長の第２波長の光を同一光路にてサンプルと試薬を混合した反応液の入ったセルに照射し、それぞれの波長の散乱光を受光する。そして、反応液中の凝集反応によって変化した第１波長の散乱光の変化光量を表す信号から、第２波長の散乱光の変化光量に試薬に依存する試薬係数を乗算した信号を減算した信号を求め、当該信号をもとにサンプル中の成分量を定量する。
【００１０】
典型的には、試薬は直径５０ｎｍ〜５００ｎｍの表面に抗体を結合させたラテックス粒子を含み、第１波長として０．６５μｍ〜０．７５μｍの範囲の光を用いる。試薬係数としてセルを透過した第１の波長の光と第２の波長の光の強度比を用いることができるが、試薬毎の試薬係数を予め記憶部に記憶させておき、それを適宜読み出して用いるようにしてもよい。
【発明の効果】
【００１１】
本発明に依れば、ラテックス免疫分析において、外乱物質によって生じるノイズをキャンセルすることが可能となる。
上記した以外の課題、構成及び効果は、以下の実施形態の説明により明らかにされる。
【図面の簡単な説明】
【００１２】
【図１】抗原抗体反応において測定された散乱光の時間経過を説明する概略図。
【図２】自動分析装置の一実施例の全体構成例を示す概略図。
【図３】散乱光測定部の概略図。
【図４】光源ユニットの概略図。
【図５】散乱光受光部の概略図。
【図６】気泡によるノイズの影響と演算結果を示す図。
【発明を実施するための形態】
【００１３】
以下、図面を参照して本発明の実施の形態を説明する。
図１は、抗原抗体反応において測定された散乱光の時間経過を説明する概略図である。散乱光測定部をもつ自動分析装置上では、まず、第一試薬を添加したサンプルに直径５０ｎｍ〜５００ｎｍのラテックス粒子が分散した第二試薬を混合し（基準状態）、一定時間経った後（凝集状態）の散乱光又は透過光の変化光量を検出する。別途、既知濃度の抗原を用いて変化光量を測定したキャリブレーションデータを用意し、そのデータと比較することで、サンプル中の抗原の濃度を算出する。本発明では、散乱光の第１波長、第２波長それぞれの信号から、後述する演算後の信号を用いてキャリブレーションデータを用意する。変化光量は照射光の強度にも比例するため、予め第１波長と第２波長の光源強度差が２０％以内に収まるように調整を行う。もしくは第１波長と第２波長の光源強度比を測定しておき、その比を用いて散乱光強度を除算し、光源強度のばらつきによる散乱光強度のばらつきを抑える。もしくはセル内に純水を入れ、セルを透過した第１波長と第２波長の透過光強度比を測定し、その比を用いて散乱光強度を除算することで光源強度のばらつきによる散乱光強度のばらつきを補正してもよい。
【００１４】
図２は、自動分析装置の一実施例の全体構成例を示す概略図である。本実施例の自動分析装置は透過光と同時に散乱光を測定できる。本実施例の自動分析装置は、サンプルディスク３、試薬ディスク６、セルディスク９の３種類のディスクと、これらのディスク間でサンプルや試薬を移動させる分注機構、これらを制御する制御回路２３、透過光測定回路２４、散乱光測定回路２５、測定したデータを処理するＰＣ（コンピュータ）等のデータ処理部２６、データ処理部２６に対しデータを入出力するインターフェースである入力部２７、出力部２８を有する。データ処理部２６は、データを解析する解析部、及び制御データ、測定データ、解析に用いるデータや解析結果データ等を格納するデータ格納部を備える。
【００１５】
サンプルディスク３の円周上には、サンプル１を収めたサンプルカップ２が複数配置されている。試薬ディスク６には、試薬４を収めた試薬ボトル５が複数配置されている。セルディスク９の円周上には、内部でサンプル１と試薬４を混合して反応液７とするセル８が複数配置されている。サンプル分注機構１０は、サンプルカップ２からセル８にサンプル１を一定量移動させる。試薬分注機構１１は、試薬ボトル５からセル８に試薬４を一定量移動させる。攪拌部１２は、セル８内で、サンプル１と試薬４を攪拌し混合させる。洗浄部１４は、分析の終了したセル８から反応液７を排出し洗浄する。洗浄されたセル８には再びサンプル分注機構１０から次のサンプル１が分注され、試薬分注機構１１から新しい試薬４が分注され、別の反応に使用される。セル８は温度・流量が制御された恒温槽内の恒温流体１５に浸漬されており、セル８及びその中の反応液７が一定温度に保たれた状態で移動される。恒温流体１５には例えば水を用い、恒温流体温度は制御回路２３により３７±０．１℃に温調される。セルディスク円周上の一部に、透過光測定部１３と散乱光測定部１６が設けられている。
【００１６】
透過光測定部１３は、例えば、ハロゲンランプ光源からの光をセル８に照射し、透過光を回折格子で分光した後、フォトダイオードアレイで受光する構成とすることができる。受光する波長は、例えば３４０ｎｍ，４０５ｎｍ，４５０ｎｍ，４８０ｎｍ，５０５ｎｍ，５４６ｎｍ，５７０ｎｍ，６００ｎｍ，６６０ｎｍ，７００ｎｍ，７５０ｎｍ，８００ｎｍである。フォトダイオードアレイで受光した透過光量データは、透過光測定回路２４を通じてＰＣ内のデータ格納部に送られる。
【００１７】
図３は、散乱光測定部１６の概略図である。光源としては例えばＬＥＤ光源等を用いることができ、ＬＥＤ光源ユニット１７からの照射光１８ａ，１８ｂを移動中のセル８に照射し、透過光１９ａ，１９ｂを透過光受光部２０で受光し、散乱光２１ａ，２１ｂを散乱光受光部２２で受光する。照射光１８ａ，１８ｂ、透過光１９ａ，１９ｂ、散乱光２１ａ，２１ｂはそれぞれ異なる波長の光で、かつ同一の空間領域を通過する。散乱光測定用の波長は、６５０ｎｍ〜７５０ｎｍに含まれる波長と、それよりも長波長、望ましくは９００ｎｍ以上であればよい。
【００１８】
図４は、ＬＥＤ光源ユニット１７の概略図である。ＬＥＤ光源ユニット１７から照射される光は少なくとも２波長の光を有しており、例えばＬＥＤ３１ａからの波長７００ｎｍの光とＬＥＤ３１ｂからの波長９５０ｎｍの光を、図４のようにハーフミラー３２にて合波し同一の光軸に調整した後、照射光１８として出射する。本実施例では光源として単一波長のＬＥＤ３１ａ，３１ｂを用いたが、白色ＬＥＤやレーザ、キセノンランプ、ハロゲンランプでも良い。蛍光物質を用いて、一つのＬＥＤ光源から第１波長と、さらに第１波長によって蛍光物質を通じて第２波長を出射する光源を用いても良い。例えば白色光を発生するハロゲンランプを光源として用いた場合には、受光部において分光して波長７００ｎｍの光量と波長９５０ｎｍの光量を測定してもよい。
【００１９】
散乱光受光部２２は、光軸に対して空気中において角度θだけ離れた方向の散乱光２１ａ，２１ｂを測定する。角度θは１５〜３５゜の範囲の角度であればよいが、本実施例ではθ＝２０゜とした。この散乱光受光部２２は、セルディスク９の回転によるセル８の移動方向に対して概ね垂直な面内に配置される。ここでは、角度θの基準位置として、セル８内を光が通過する長さの中央部を起点とした。
【００２０】
図５は、散乱光受光部２２の概略図である。散乱光受光部２２は、光を分光する機能を有し、例えばダイクロイックミラー３４を用いて散乱光を第１波長の７００ｎｍと第２波長の９５０ｎｍの光に分離し、それぞれをフォトダイオード３３ａ，３３ｂにて受光する。
【００２１】
本実施例では、散乱光受光部２２にて２波長に光を分離したが、照射光としてハロゲンランプなどの白色光を用い、散乱光受光部２２として回折格子等を組み込んだ分光ユニットを用いてもよい。
【００２２】
サンプル１中の被測定物質の濃度定量は、次の手順で行われる。まず、サンプル分注機構１０によりサンプルカップ２内のサンプル１をセル８内に一定量分注する。次に、試薬分注機構１１により試薬ボトル５内の試薬４をセル８内に一定量分注する。これら分注の際は、サンプルディスク３、試薬ディスク６、セルディスク９は制御回路２３の制御下にそれぞれの駆動部によって回転駆動され、サンプルカップ２、試薬ボトル５、セル８を分注機構１０，１１の分注タイミングに合わせて移動する。続いて、セル８内に分注されたサンプル１と試薬４を攪拌部１２により攪拌し、反応液７とする。反応液７からの透過光及び散乱光は、セルディスク９の回転中に、透過光測定部１３及び散乱光測定部１６の測定位置を通過するたびに測定され、透過光測定回路２４、散乱光測定回路２５からデータ処理部２６のデータ格納部に、反応過程データとして順次蓄積される。一定時間、例えば約１０分間測定後、洗浄部１４によりセル８内を洗浄し、次の検査項目の分析を行う。その間、必要であれば別の試薬４を試薬分注機構１１によりセル８内に追加して分注し、攪拌部１２により攪拌し、さらに一定時間測定する。これにより一定の時間間隔を持った反応液７の反応過程データがデータ格納部に格納される。
【００２３】
格納された散乱光測定部の反応過程データから、解析部において一定時間の反応による光量の変化を求め、予めデータ格納部に保持された検量線データに基づき、定量結果が算出され、出力部より表示される。各部の制御・分析に必要なデータは、入力部２７からデータ処理部２６のデータ格納部に入力される。各種格納部のデータや結果、及びアラームは出力部２８により表示等にて出力される。
【００２４】
本実施例では、少なくとも２波長の光を同一光路で反応液に照射し、反応液から発せられる散乱光を受光し、２波長間の散乱光信号を試薬ごとに決定される試薬係数を用いて演算することにより、外乱物質による変化光量（ノイズ）を低減する。特に２波長の光のうち長波長側の光による散乱光信号に試薬係数を乗算した値を、短波長側の光による散乱光信号から減算することでノイズを低減する。
【００２５】
以下、より具体的に説明を行う。第１波長と第２波長それぞれのセルへの照射光強度が等しくなるよう調整する。その上で、反応開始直後の反応液からの第１波長、第２波長それぞれの透過光強度Ｉt1，Ｉt2から試薬係数ｋを次のように決定する。
ｋ＝Ｉt1／Ｉt2
【００２６】
続いて、第１波長、第２波長それぞれの、反応によって変化した散乱光の光量Ｉs1(ｔ)，Ｉs2(ｔ)と試薬係数ｋを用いて、演算後の反応過程データ
Ｉs-cal(ｔ)＝Ｉs1(ｔ)−ｋ×Ｉs2(ｔ)
を得、この演算後の反応過程データを用いてサンプル中の成分量を定量する。
【００２７】
ここで、試薬係数ｋは反応開始直後の反応液からの透過光強度から求める方法を示したが、用いる試薬ごとに測定前に設定してもよい。
【００２８】
図６は、気泡によるノイズの影響と演算結果を示す図である。図（６−ａ１），（６−ｂ１）は、外乱物質である気泡がセル壁に付着し、それが成長した際の第１波長７００ｎｍ，第２波長９５０ｎｍにおける散乱光強度をシミュレーションしたものである。シミュレーションは、反応液を含んだ光路長５ｍｍのセルの内壁上、照射光軸中心に気泡を配置し、照射光からのθ＝２０°方向の散乱光を計算した。
【００２９】
このシミュレーションでは気泡の位置は受光部側のセル壁を想定したが、照射光側のセル壁に気泡が付着した場合でも同様の結果となる。すなわち、受光部側セル壁に気泡が付着した場合には反応液を透過し減衰した照射光が気泡によって散乱され、照射光側セル壁に気泡が付着した場合には照射光が気泡によって散乱されたのち反応液を透過し減衰する。ここで、気泡に当たる光が散乱される割合と反応液透過による減衰割合は気泡の付着する壁によらないため、結果として受光部に入る気泡による散乱光の強度は、気泡が付着するセル壁に依らずほぼ等しくなる。
【００３０】
反応液中の気泡やゴミは、計測に用いられる波長に対して十分大きく、図６に示した気泡直径の範囲に含まれる割合が多い。ここで、図（６−ａ１）及び（６−ｂ１）は、それぞれ波長７００ｎｍにおいて吸光度０．０８（ａｂｓ），０．３０（ａｂｓ）相当（９５０ｎｍ波長での吸光度は０．０３（ａｂｓ），０．１３（ａｂｓ））の直径３００ｎｍのラテックス粒子が含まれる反応液におけるデータである。また、図（６−ａ２）及び（６−ｂ２）は、気泡が成長して直径が大きくなってゆく時、それぞれの直径の気泡から発生する散乱光を、気泡直径０μｍのとき、すなわち気泡が無いときの散乱光強度を基準に示した変化光量の図である。
【００３１】
以下、反応開始直後の反応液からの透過光強度Ｉt(７００ｎｍ)，Ｉt(９５０ｎｍ)の比から試薬係数ｋを求める。各波長の照射光強度Ｉ0が同一に調整されているとき、図（６−ａ１）（波長７００ｎｍで０．０８（ａｂｓ））の場合には、光路長５ｍｍにおいて
【数１】
2014202523.tif 000003
であり、試薬係数ｋは
【数２】
2014202523.tif 000004
である。同様に、図（６−ｂ１）（波長７００ｎｍで０．３０（ａｂｓ））の場合には、試薬係数ｋは０．８２である。
【００３２】
用いる反応開始直後の反応液からの透過光強度は、透過光測定部で測定された値を用いてもよい。また、試薬係数は測定前に試薬ごとに設定し、データ格納部に記憶しておき、それを取り出して用いても構わない。
【００３３】
波長７００ｎｍ，９５０ｎｍそれぞれの散乱光の変化光量Ｉs(７００ｎｍ)，Ｉs(９５０ｎｍ)と試薬係数ｋを用いた減算結果｛Ｉs-cal＝Ｉs(７００ｎｍ)−ｋ×Ｉs(９５０ｎｍ)｝、単純な減算結果｛Ｉs(７００ｎｍ)−Ｉｓ(９５０ｎｍ)｝、試薬係数ｋ＝０．９７に固定した減算結果の例を図（６−ａ３）（６−ｂ３）に示す。
【００３４】
図（６−ａ２）（６−ｂ２）より、気泡による散乱光の変化光量は、波長７００ｎｍよりも波長９５０ｎｍの光が大きく、かつ試薬の吸光度が高いほど、その差も大きくなる。これは試薬の粒子直径が一般的に５０ｎｍ〜５００ｎｍの範囲にあるために、短波長と長波長で試薬の吸光度が異なり、気泡やゴミなどの外乱物質に照射される透過光が短波長ほど小さくなることで、外乱物質による変化光量が短波長ほど小さくなることによる。
【００３５】
そのため、２波長間の単純な減算や、試薬係数を固定した減算では、２波長間の減算幅が試薬によっては大きくなってしまうが、反応開始直後の反応液からの透過光強度を反映した試薬係数を用いることで、単純な減算と比較して外乱物質による変化光量を１／４以下に抑えることが可能となった（図（６−ａ３）（６−ｂ３）参照）。
【００３６】
一方で、外乱物質に対する波長依存性とは逆に、反応による変化光量は可視光以上の波長範囲では、短波長の方が大きくなる。そのため上記の減算結果を用いることで、外乱物質による影響を抑え、反応による変化光量をとらえることが可能となる。
【００３７】
本実施例の自動分析装置では、データ処理部２６において、上述のように、波長７００ｎｍと波長９５０ｎｍにおける散乱光の変化光量Ｉs(７００ｎｍ)，Ｉs(９５０ｎｍ)をもとに、試薬係数ｋを用いて演算｛Ｉs-cal＝Ｉs(７００ｎｍ)−ｋ×Ｉs(９５０ｎｍ)｝を行い、演算結果Ｉs-calをデータ格納部に保持されている検量線データと照合してサンプル中の成分量を定量する。これにより、セル壁に付着した気泡やゴミの影響を低減して高精度な定量分析を行うことができる。
【００３８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、図面は説明上必要と考えられるものを示しており、製品上必ずしも全ての構成部や機能を示しているわけではない。
【符号の説明】
【００３９】
１…サンプル、２…サンプルカップ、３…サンプルディスク、４…試薬、５…試薬ボトル、６…試薬ディスク、７…反応液、８…セル、９…セルディスク、１０…サンプル分注機構、１１…試薬分注機構、１２…攪拌部、１３…透過光測定部、１４…洗浄部、１５…恒温流体、１６…散乱光測定部、１７…ＬＥＤ光源ユニット、１８ａ，１８ｂ…照射光、１９ａ，１９ｂ…透過光、２０…透過光受光部、２１ａ，２１ｂ…散乱光、２２…散乱光受光部、２３…制御回路、２４…透過光測定回路、２５…散乱光測定回路、２６…データ処理部、２７…入力部、２８…出力部、３１ａ，３１ｂ…ＬＥＤ、３２…ハーフミラー、３３ａ，３３ｂ…フォトダイオード、３４…ダイクロイックミラー
【図１】
2014202523.tif 000005
【図２】
2014202523.tif 000006
【図３】
2014202523.tif 000007
【図４】
2014202523.tif 000008
【図５】
2014202523.tif 000009
【図６】
2014202523.tif 000010